(57)【要約】【課題】タッチスクリーンが設けられた通信端末機の文字、数字入力装置及び入力方法を提供すること。【解決手段】本発明は、タッチ部を備えた通信端末機の文字、数字入力装置において、外部との通信又はデータ保存のために指又は道具を使って座標を指定し、文字を選択することができるタッチ部のタッチスクリーンキーボード内のブロック本体上には複数個のブロックが形成されており、各ブロックに各言語別文字の子音が割り当てられ、ブロック本体が移動される少なくとも４つ以上の方向（上、下、左、右）の複数の固定ブロックには母音が割り当てられる。ハングルのキーボードの場合、ブロック本体上の各ブロックがタッチされて子音が入力され、少なくとも４つ以上の方向へ移動されるブロック本体の操作を通じて固定ブロックの母音が入力されるようにし、ローマ字のキーボードの場合、ブロック本体上の各ブロックがタッチされてローマ字の子音が入力され、少なくとも４つ以上の方向へ移動されるブロック本体の操作を通じて固定ブロックの母音が入力されるようにし、日本語のキーボードの場合、ブロック本体上の各ブロックがタッチされて各行の「あ段」が入力され、少なくとも４つ以上の方向へ移動されるブロック本体の操作を通じて固定ブロックの各行の「お」段、「う段」、「え」段、「い」段及び機能キーが入力される  。【選択図】図１
2011501312.tif 000002
【特許請求の範囲】
【請求項１】
外部との通信又はデータ保存を行うために指や道具を使って座標を指定し、また文字を選択することができるタッチ部上のタッチスクリーンキーボードを備えた通信端末機において、
前記タッチスクリーンキーボード内のブロック本体上の複数のブロック及び前記ブロック本体が移動するように少なくとも４つ以上の方向に位置した固定ブロックの複数個の閉区間にハングル、ローマ字、日本語の各言語別子音、母音、数字及び機能キーが割り当てられており、文字及び数字の入力を所望する使用者のブロック操作又は使用者の中央を中心にして少なくとも４つ以上の方向への移動操作による固定ブロック操作信号を発生させるブロック本体と、
前記通信端末機で使われる各言語別文字データを保存するための文字保存部と、
前記通信端末機内の動作プログラムを保存するプログラムメモリと、
前記ブロック本体上に配置されている各種ブロック及びブロック本体の外郭に配置されている前記固定ブロックに対応するコードデータを保存するためのコード保存部と、
前記ブロック本体上に設けられた各ブロックのタッチ操作状態を検出するブロック操作認識部と、
少なくとも４つ以上の方向へのブロック本体の移動操作による固定ブロック操作状態を検出する固定ブロック操作認識部と、
前記ブロック操作認識部又は前記固定ブロック操作認識部を通じてタッチ操作状態の検出信号が入力されると、前記プログラムメモリに保存された動作プログラムによって前記文字保存部に保存された文字データを参照し、使用者が何れかの言語の音素を入力するかを判断し、前記コード保存部に保存されたコードデータを参照し、前記使用者が入力する当該言語の音素を表示するための表示制御信号を生成して出力するマイクロプロセッサーと、
前記マイクロプロセッサーから出力される前記表示制御信号に応じて前記ブロック本体上の前記ブロック又は前記フロック本体の前記移動操作による前記固定ブロック操作を通じて前記使用者の選択した文字及び数字を表示するための駆動制御信号を出力する表示駆動部と、
前記表示駆動部から出力される前記駆動制御信号に応じて文字及び数字を画面上に表示する表示部とを含み、
前記固定ブロック及び前記ブロック本体は、論理的に実現され、前記タッチスクリーンの前記タッチ部に表示される、通信端末機の文字、数字入力装置。
【請求項２】
前記ブロック本体がハングルのブロック本体である場合、前記ブロック本体上に設けられた各ブロックに子音が割り当てられ、前記ブロック本体が移動可能な少なくとも４つ以上の方向の固定ブロックに母音が割り当てられる、請求項１に記載の通信端末機の文字、数字入力装置。
【請求項３】
2011501312.tif 000014
【請求項４】
前記ブロック本体が移動可能な少なくとも４つ以上の方向の固定ブロックに割り当てられる母音以外の母音は、前記ブロック本体がタッチされた状態で操作され、また前記固定ブロックと面接触する瞬間に、固定ブロックが活性化され、また複数個の閉区間に分割されると共に、前記母音が二重母音に変換されて割り当てられる、請求項２に記載の通信端末機の文字、数字入力装置。
【請求項５】
2011501312.tif 000015
【請求項６】
前記ハングルブロック本体上に設けられた各ブロックと、前記ブロック本体が移動可能な少なくとも４つ以上の方向の固定ブロック及び活性化された固定ブロックとに割り当てられるハングルの組合せは、
使用者の道具又は指が前記ブロック本体上に割り当てられた各ブロックを所定の短い時間だけ一回タッチした後に道具又は指を離すと、子音が出力され、
使用者の道具又は指が前記ブロック本体上に割り当てられた各ブロックをタッチしている状態で、前記ブロック本体が同時に道具又は指の動きに従って固定ブロックの閉区間に割り当てられた母音に向けて移動し、固定ブロックの内側に前記ブロック本体の外側が面接触した後に停止し、道具又は指を離すと、該当ブロックに割り当てられた子音と該当ブロック本体の移動方向の固定ブロックに割り当てられた母音とが組み合わされて入力され、前記ブロック本体は、タッチスクリーンのキーボードの中央に戻り、
前記面接触時、使用者の道具又は指が停止された前記ブロック本体から指を離さずにタッチ状態を維持し、かつ、前記ブロック本体が停止された状態を維持し、前記面接触時に変換され、活性化された固定ブロックの閉区間内に道具又は指だけを移動進入させた後に離すと、前記活性化された固定ブロックに割り当てられた二重母音が組み合わされて入力され、前記ブロック本体は、タッチスクリーンのキーボードの中央に戻る、請求項２記載の通信端末機の文字、数字入力装置。
【請求項７】
前記ブロック本体がローマ字のブロック本体である場合、前記ブロック本体上に設けられた各ブロックに子音が割り当てられ、前記ブロック本体が移動可能な少なくとも４つ以上の方向の前記固定ブロックに母音が割り当てられる、請求項１に記載の通信端末機の文字、数字入力装置。
【請求項８】
前記ブロック本体が移動可能な少なくとも４つ以上の方向の固定ブロックに割り当てられる母音と組み合う二次母音は、前記ブロック本体がタッチされた状態で操作され、また前記固定ブロックと面接触する瞬間に、前記固定ブロックが活性化され、また複数個の閉区間に分割されたときに、前記母音から二次母音に変換されて割り当てられる、請求項２に記載の通信端末機の文字、数字入力装置。
【請求項９】
前記ブロック本体上に設けられた各ブロックに、子音「Ｂ、Ｃ、Ｄ、Ｆ、Ｇ、Ｈ、Ｊ、Ｋ、Ｌ、Ｍ、Ｎ、Ｐ、Ｑ、Ｒ、Ｓ、Ｔ、Ｖ、Ｘ、Ｚ、ＣＨ、ＰＨ、ＳＨ、ＴＨ」及び「母音出力方向キー」が割り当てられ、
前記ブロック本体が移動可能な少なくとも４つ以上の方向の前記固定ブロックは、８つの閉区間から形成され、前記閉区間に割り当てられる母音は、中央を中心にして周辺の左上、上、右上、左、右、左下、下、右下に「Ｉ、Ｏ、Ｕ、Ｅ、Ｗ、Ａ、ＮＧ、Ｙ」がそれぞれ割り当てられる、請求項２に記載の通信端末機の文字、数字入力装置。
【請求項１０】
前記８つの閉区間から形成された固定ブロックは、活性化されると、４０個の閉区間に分割され、前記活性化された固定ブロックの閉区間に割り当てられる二次母音は、中央を中心に周辺の左上、上、右上、左、右、左下、下、右下に割り当てられたそれぞれの閉区間は５つに分割され、該分割された閉区間には「Ａ、Ｅ、Ｉ、Ｏ、Ｕ」が割り当てられる、請求項２に記載の通信端末機の文字、数字入力装置。
【請求項１１】
前記ローマ字のブロック本体上に設けられた各ブロックと、前記ブロック本体が移動可能な少なくとも４つ以上の方向の前記固定ブロック及び前記活性化された固定ブロックとに割り当てられるローマ字の組合せは、
使用者の道具又は指が前記ブロック本体上に割り当てられた各ブロックを所定の短い時間だけ１回タッチしてから指を離すと、子音が出力され、
使用者の道具又は指が前記ブロック本体上に割り当てられた各ブロックをタッチした状態で、前記ブロック本体が、同時に道具又は指の動きに従って前記固定ブロックの閉区間に割り当てられた母音に向かって移動し、前記固定ブロックの内側に前記ブロック本体の外側が面接触した後に停止し、次いで道具又は指がブロック本体から離されると、該当ブロックに割り当てられた子音及び該当ブロック本体の移動方向の固定ブロックに割り当てられている母音が組み合わされて入力され、該当ブロックに割り当てられた母音出力方向キーの場合、該当方向の母音だけが入力され、前記ブロック本体はタッチスクリーンのキーボードの中央に戻り、
前記面接触時、使用者の道具又は指が停止された前記ブロック本体から指を離さずにタッチ状態を維持し、かつ、前記面接触時に変換され、活性化された固定ブロックの閉区間内に前記ブロック本体は停止状態を維持し、道具又は指だけが移動進入された後に離されると、該当ブロックに割り当てられた前記二次母音が組み合わされて入力され、前記ブロックに割り当てられた母音出力方向キーの場合、前記固定ブロックの母音及び前記活性化された固定ブロックに割り当てられている二次母音だけが組み合わされて入力され、前記ブロック本体はタッチスクリーンのキーボードの中央に戻る、請求項７記載の通信端末機の文字、数字入力装置。
【請求項１２】
前記ブロック本体が日本語のブロック本体である場合、前記ブロック本体上に設けられた各ブロックに各行の「あ」段が割り当てられ、前記ブロック本体が移動可能な少なくとも４つ以上の方向の前記固定ブロックに各行の「い」段、「う」段、「え」段、「お」段、及び「変換機能」が割り当てられる、請求項１に記載の通信端末機の文字、数字入力装置。
【請求項１３】
前記ブロック本体が移動可能な少なくとも４つ以上の方向の固定ブロックは、１０個の閉区間から形成され、前記閉区間に割り当てられる日本語及び変換機能は、中央を中心にして周辺の左上、上、右上、左、右、下のそれぞれに、「濁音記号、半濁音記号、小文字記号」、「各行のお段、長音記号」、「濁音記号、半濁音記号、小文字記号」、「各行のえ段」、「各行のい段」、「各行のう段」、「区読点記号」が割り当てられる、請求項１２に記載の通信端末機の文字、数字入力装置。
【請求項１４】
前記１０個の閉区間から形成された固定ブロックは、活性化されると共に中央を中心にして周辺の左上、上、右上、左、右、左下、下、右下の閉区間がそれぞれ３つに分割され、２４個の閉区間に分割され、前記活性化された固定ブロックの閉区間に割り当てられる変換機能は、それぞれの３つの閉区間に「濁音記号、半濁音記号、小文字記号」が割り当てられる、請求項１３に記載の通信端末機の文字、数字入力装置。
【請求項１５】
前記日本語のブロック本体上に設けられた各ブロックと、前記ブロック本体が移動可能な少なくとも４つ以上の方向の固定ブロック及び活性化された固定ブロックとに割り当てられる日本語の組合せは、
使用者の道具又は指が前記ブロック本体上に割り当てられた各ブロックを所定の短い時間だけ１回タッチしてから道具又は指を離すと、各行の「あ段」が出力され、
使用者の道具又は指が前記ブロック本体上に割り当てられた各ブロックをタッチした状態で、前記ブロック本体が、同時に道具又は指の動きに従って固定ブロックの閉区間に割り当てられた各行の「い段」、「う段」、「え段」、「お段」及び「あ段」の変換機能記号に向かって移動し、固定ブロック内側に前記ブロック本体の外側が面接触した後に停止し、道具又は指をブロック本体から離すと、該当ブロックに割り当てられた行の「あ段」と該当ブロック本体の移動方向の固定ブロックに割り当てられている行の「い段」、「う段」、「え段」、「お段」、及び「あ段」の変換機能の記号が入力され、前記ブロック本体は、タッチスクリーンのキーボードの中央に戻り、
前記面接触時、使用者の道具又は指が停止された前記ブロック本体から道具又は指を離さずにタッチ状態を維持し、かつ、前記面接触時に変換され、活性化された固定ブロックの閉区間内に前記ブロック本体は停止状態を維持し、道具又は指だけを移動進入させた後に離すと、前記活性化された固定ブロックに割り当てられている該当行の「い段、う段、え段、お段」の変換機能の記号が入力され、前記ブロック本体はタッチスクリーンのキーボードの中央に復帰する、請求項１２記載の通信端末機の文字、数字入力装置。
【請求項１６】
前記固定ブロックの中央を基準に対角線方向の閉区間に割り当てられた文字及び変換キーの出力は、前記ブロック本体と前記固定ブロックとの面接触時、該当対角線の両側の接触面が０.１秒でも互いに接している場合、対角線方向の閉区間に割り当てられた文字又は変換キーの操作信号と認識し、指を離すと、該当対角線方向の固定ブロックの閉区間に割り当てられた文字が出力され、前記ブロック本体はタッチスクリーンのキーボードの中央に戻る、請求項１に記載の通信端末機の文字、数字入力方法。
【請求項１７】
2011501312.tif 000016
【請求項１８】
（１）使用者が言語別文字モードを選択するか否かを通信端末機のマイクロプロセッサーが判断するステップと、
（２）言語別文字モードを選択した使用者がハングル入力モード、ローマ字入力モード及び日本語入力モードの何れか１つの入力モードを選択するのを前記マイクロプロセッサーが判断するステップと、
（３）使用者がハングル入力モードを選択する場合、前記マイクロプロセッサーが、ブロック操作認識部又は固定ブロック操作認識部から入力されるブロック本体に設けられた複数のブロック操作又は上、下、左、右、対角線などの方向へのブロック本体の移動操作による固定ブロックの操作信号を検出し、該当ハングルの子音、母音並びに数字及び記号を組み合わせ、通信端末機の画面上に表示するステップと、
（４）使用者がローマ字入力モードを選択する場合、前記マイクロプロセッサーが、ブロック操作認識部又は固定ブロック操作認識部から入力されるブロック本体に設けられた複数のブロック操作又は上、下、左、右、対角線などの方向へのブロック本体の移動操作による固定ブロック操作信号を検出し、該当ローマ字の子音及び母音並びに数字及び記号を組み合わせ、通信端末機の画面上に表示するステップと、
（５）使用者が日本語入力モードを選択する場合、前記マイクロプロセッサーが、ブロック操作認識部又は固定ブロック操作認識部から入力されるブロック本体に設けられた複数のブロック操作又は上、下、左、右、対角線などの方向へのブロック本体の移動操作による固定ブロック操作信号を検出し、該当日本語の平仮名、カタカナ及び漢字並びに数字及び記号を組み合わせ、通信端末機の画面上に表示するステップと、
（６）ハングル入力モード、ローマ字入力モード及び日本語入力モードの何れか１つの入力モードを通じた文字入力作業が終了すると、前記マイクロプロセッサーが、使用者が文字保存を選択するか否かを判断し、使用者の入力した文字を保存するステップと、
（７）前記マイクロプロセッサーが、使用者が文字モードを終了するか否かを判断し、文字モードが継続又は解除されるステップとを含む、通信端末機の文字、数字入力方法。
【請求項１９】
前記ステップ（３）は、
（３−１）前記ステップ（２）の判断の結果、使用者がハングル入力モードを選択する場合、前記通信端末機の前記マイクロプロセッサーが、ハングル入力モードに切り換えることにより、ハングル入力の待機状態を維持し、それから、該当使用者が、メニューブロックをタッチした後、ブロック本体を上、下、左、右に移動させ、文字消し、空白文字の出力、数字及び記号の入力、改行のメニューを選択するか否かを判断するステップと、
（３−２）前記ステップ（３-１）の判断の結果、使用者がメニューを操作した場合、前記マイクロプロセッサーが、使用者が選択した文字消し、空白文字の出力、数字及び記号の入力、又は改行のメニューを行い、前記したステップ（３−１）以後を繰り返して行うステップと、
（３−３）前記ステップ（３−１）の判断の結果、使用者が文字消し、空白文字の出力、数字及び記号の入力、又は改行などのメニューを選択しない場合、前記マイクロプロセッサーが、使用者によりブロック本体上に設けられた複数のブロックが操作されたか否かを判断し、使用者の操作によりブロック本体上に設けられた特定のブロックが操作された場合、使用者のブロック本体の移動操作に応じて各移動方向の固定ブロックに割り当てられた特定母音が選択されるか否かを判断するステップと、
（３−４）前記ステップ（３−３）の判断の結果、ブロック本体上に設けられた複数のブロック又は上、下、左、右、対角線方向へのブロック本体の移動を通じた固定ブロックの面接触の操作を行って子音、母音を入力する場合、前記マイクロプロセッサーが、ブロック操作認識部又は固定ブロック操作認識部から入力される操作信号を基に使用者が入力した子音及び単母音の入力を確認するステップと、
（３−５）前記ステップ（３−４）の判断の結果、使用者のブロック本体の移動操作によって、各移動方向の固定ブロックに割り当てられた特定母音が選択された場合、前記マイクロプロセッサーが、子音の割り当てられた特定ブロックが使用者により再び選択されるか否かを判断するステップと、
（３−６）前記ステップ（３−５）の判断の結果、子音の割り当てられた特定ブロックが再び選択された場合、前記マイクロプロセッサーが、該当子音と複母音を組み合せ、使用者の操作による文字が完成型ハングルになれるか否かを判断し、完成型ハングルの場合は、画面上に表示するステップと、
（３−７）前記ステップ（３−６）の判断の結果、使用者の操作による文字が完成型ハングルにならない場合、前記マイクロプロセッサーが、使用者の入力した文字が子音だけであれば、該当子音だけを出力し、画面上に表示するステップと、
（３−８）前記ステップ（３−６）の判断の結果、特定ブロックが選択されていない場合、前記マイクロプロセッサーが、使用者のブロック本体の移動操作によって活性化された固定ブロックが選択されているか否かを判断するステップと、
（３−９）前記ステップ（３−６）の判断の結果、活性化された固定ブロックが選択された場合、前記マイクロプロセッサーが、ブロック本体が移動される該当方向に活性化された固定ブロックに割り当てられた母音を認識した後、前記したステップ（３−５）以後を繰り返して行うステップと、
（３−１０）前記ステップ（３−６）の判断の結果、活性化された固定ブロックが選択されない場合、前記マイクロプロセッサーが、該当子音と母音とを組み合わせ、前記したステップ（３−６）以後を繰り返して行うステップと、
（３−１１）前記ステップ（３−４）の判断の結果、使用者のブロック本体の移動操作によって各移動操作方向に割り当てられた固定ブロックの特定母音が選択されていない場合、前記マイクロプロセッサーが、使用者の操作に応じて該当ブロックが長く操作されるか否かを判断するステップと、
（３−１２）前記ステップ（３−１１）の判断の結果、使用者の操作によって該当ブロックが長く操作された場合、前記マイクロプロセッサーが、該当子音を軽音と認識し、前記したステップ（３−３）以後を繰り返して行うステップと、
（３−１３）前記ステップ（３−１１）の判断の結果、該当ブロックが長く操作されない場合、前記マイクロプロセッサーが、該当子音を出力して画面上に表示し、前記したステップ（３−３）以後を繰り返して行うステップとを含む、請求項１８に記載の通信端末機の文字、数字入力方法。
【請求項２０】
前記ステップ（４）は、
（４−１）前記ステップ（２）の判断の結果、該当使用者がローマ字入力モードを選択する場合、前記通信端末機の前記マイクロプロセッサーが、ローマ字入力モードに切り換えることにより、ローマ字入力の待機状態を維持し、それから、使用者がメニューブロックをタッチした後、ブロック本体を上、下、左、右に移動させ、文字消し、空白文字の出力、数字及び記号の入力、改行のメニューが選択されるか否かを判断するステップと、
（４−２）前記ステップ（４−１）の判断の結果、使用者がメニューを操作すると、前記マイクロプロセッサーは、使用者の選択した文字消し、空白文字の出力、数字及び記号の入力、改行などのメニューを行い、前記したステップ（４−１）以後を繰り返して行うステップと、
（４−３）前記ステップ（４−１）の判断の結果、使用者が文字消し、空白文字の出力、数字及び記号の入力、改行などのメニューを選択しない場合、前記マイクロプロセッサーが、使用者によりブロック本体上に設けられた複数のブロックが操作されたか否かを判断し、使用者の操作によりブロック本体上に設けられた特定のブロックが操作された場合、使用者のブロック本体の移動操作によって各移動方向の固定ブロックに割り当てられた特定母音が選択されるか否かを判断するステップと、
（４−４）前記ステップ（４−３）の判断の結果、ブロック本体上に設けられた複数のブロック、又は上、下、左、右、対角線方向へのブロック本体の移動を通じた固定ブロックの面接触の操作を行って子音、母音を入力する場合、前記マイクロプロセッサーが、ブロック操作認識部又は固定ブロック操作認識部から入力される操作信号を基に使用者の入力した子音及び母音の入力を確認するステップと、
（４−５）前記ステップ（４−４）の判断の結果、使用者のブロック本体の移動操作によって各移動方向の固定ブロックに割り当てられた特定母音が選択される場合、前記マイクロプロセッサーが、該当ブロックが使用者により長く操作されるか否かを判断するステップと、
（４−６）前記ステップ（４−５）の判断の結果、該当ブロックが長く操作された場合、前記マイクロプロセッサーが、該当ブロックの大小文字モードを変換して認識した後、使用者のブロック本体の移動操作により活性化された固定ブロックが選択されたか否かを判断するステップと、
（４−７）前記ステップ（４−５）の判断の結果、該当ブロックが長く操作されない場合、前記マイクロプロセッサーが、活性化された固定ブロックが選択されているか否かを判断するステップと、
（４−８）前記ステップ（４−７）の判断の結果、ブロック本体が移動する方向に活性された固定ブロックに割り当てられた母音を認識した後、活性された固定ブロックが選択された場合、前記マイクロプロセッサーが、該当子音及び母音及び二次母音を組み合わせ、該当ブロックが母音出力方向キーである場合、該当母音及び二次母音のみを組み合わせるステップと、
（４−９）前記ステップ（４−７）の判断の結果、活性された固定ブロックが選択されない場合、前記マイクロプロセッサーが、該当子音及び母音を組み合せ、画面上に表示し、該当ブロックが母音出力方向キーの場合、該当母音のみを認識し、画面上に表示するステップと、
（４−１０）前記ステップ（４−４）の判断の結果、使用者のブロック本体の移動操作によって各移動方向に割り当てられた固定ブロックの特定母音が選択され場合、前記マイクロプロセッサーが、使用者の操作により該当ブロックが長く操作されるか否かを判断するステップと、
（４−１１）前記ステップ（４−１０）の判断の結果、使用者の操作により該当ブロックが長く操作される場合、前記マイクロプロセッサーが、該当ブロックの大小文字モードを変換して認識した後、前記した（４−４）以後を繰り返して行うステップと、
（４−１２）前記ステップ（４−１０）の判断の結果、該当ブロックが長く操作されない場合、前記マイクロプロセッサーが、該当ローマ字を出力して画面上に表示し、前記した（４−３）以後を繰り返して行うステップとを含む、請求項１８に記載の通信端末機の文字、数字入力方法。
【請求項２１】
前記ステップ（５）は、
（５−１）前記ステップ（２）の判断の結果、使用者が日本語入力モードを選択する場合、前記通信端末機の前記マイクロプロセッサーが、日本語の入力モードに切り換えることにより、日本語入力の待機状態を維持し、それから、該当使用者がメニューブロックをタッチした後、ブロック本体を上、下、左、右に移動させ、文字消し、空白文字の出力、数字及び記号の入力、改行のメニューを選択するか否かを判断するステップと、
（５−２）前記ステップ（５-１）の判断の結果、使用者がメニューを操作すると、前記マイクロプロセッサーが、使用者の選択した文字消し、空白文字の出力、数字及び記号入力、改行のメニューを行い、前記したステップ（５−１）以後を繰り返して行うステップと、
（５−３）前記ステップ（５−１）の判断の結果、使用者が文字消し、空白文字の出力、数字及び記号の入力、改行などのメニューを選択しない場合、前記マイクロプロセッサーが、使用者によりブロック本体上に設けられた複数のブロックが操作されたか否かを判断し、使用者の操作に応じてブロック本体上に設けられた特定のブロックが操作された場合、使用者によるブロック本体の移動操作により各移動方向の固定ブロックに割り当てられた各行の「い段」、「う段」、「え段」、「お段」及び変換機能の記号が選択されるか否かを判断するステップと、
（５−４）前記ステップ（５−３）の判断の結果、ブロック本体上に設けられた複数のブロック又は上、下、左、右、対角線方向へのブロック本体の移動を通じた固定ブロックの面接触の操作が行われ日本語が入力されると、前記マイクロプロセッサーが、ブロック操作認識部又は固定ブロック操作認識部から入力される操作信号を基に、使用者が入力した該当「段」の入力及び「あ段」への記号組合せの入力を確認するステップと、
（５−５）前記ステップ（５−４）の判断の結果、使用者のブロック本体の移動操作によって各移動方向の固定ブロックに割り当てられた該当「段」の入力及び「あ段」への記号組合せの入力が選択される場合、前記マイクロプロセッサーが、該当ブロックが使用者により長く操作されるか否かを判断するステップと、
（５−６）前記ステップ（５−５）の判断の結果、該当ブロックが長く操作された場合、前記マイクロプロセッサーが、該当ブロックの平仮名、カタカナを漢字に変換して認識した後、使用者のタッチ操作による漢字選択後、使用者のブロック本体の移動操作により活性された固定ブロックが選択されたか否かを判断するステップと、
（５−７）前記ステップ（５−５）の判断の結果、該当ブロックが長く操作されない場合、前記マイクロプロセッサーが、活性された固定ブロックが選択されたか否かを判断するステップと、
（５−８）前記ステップ（５−７）の判断の結果、ブロック本体が移動する方向に活性された固定ブロックに割り当てられた変換機能記号が認識された後、活性された固定ブロックが選択された場合、前記マイクロプロセッサーが、該当「行」の特定「段」の変換機能を行うステップと、
（５−９）前記ステップ（５−７）の判断の結果、活性された固定ブロックが選択されない場合、前記マイクロプロセッサーが、該当「段」の出力及び「あ段」の変換機能を行って出力し、画面上に表示するステップと、
（５−１０）前記ステップ（５−４）の判断の結果、使用者のブロック本体の移動操作によって各移動方向に割り当てられた固定ブロックの該当「段」の入力及び「あ段」への記号組合せの入力が選択されない場合、前記マイクロプロセッサーが、使用者の操作によって該当ブロックが長く操作されるか否かを判断するステップと、
（５−１１）前記ステップ（５−１０）の判断の結果、使用者の操作に応じて該当ブロックが長く操作された場合、前記マイクロプロセッサーが、該当ブロックの平仮名、カタカナを漢字に変換して認識し、次いで使用者のタッチ操作により漢字を選択した後、前記した（５−４）以後を繰り返して行うステップと、
（５−１２）前記ステップ（５−１０）の判断の結果、該当ブロックが長く操作されない場合、前記マイクロプロセッサーが、該当日本語を出力して画面上に表示し、前記した（５−３）以後を繰り返して行うステップとを含む、請求項１８に記載の通信端末機の文字、数字入力方法。
【発明の詳細な説明】
【技術分野】
【０００１】
本発明は、文字、数字入力装置及び入力方法に関する。より詳細には、各種ブロック領域を備えるブロック本体が中心から少なくとも４つ以上の方向に移動することができるように構成することによって、文字や数字の入力を簡単に行える通信端末機の文字、数字入力装置及びその入力方法に関する。
【背景技術】
【０００２】
ＨＣＩ（Ｈｕｍａｎ  Ｃｅｎｔｒｉｃ  Ｉｎｔｅｒｆａｃｅ）は、人間中心のインターフェースのことを意味する。人と機械とのインターフェースを、まるで人と人の関係のように円滑に繋いでくれるヒューマンインターフェースに属する全ての技術を意味する。最近、情報端末機は、携帯電話機、ノート型コンピュータ、ＰＣだけでなく、ＭＰ３プレーヤー、ＰＤＡなどのように多様化しており、１つの機器に携帯電話機、ＰＤＡ、ＭＰ３プレーヤー、カメラなどの双方向の機能を提供している。それゆえ、使用者中心のインターフェースがさらにその重要性を増している実情である。
【０００３】
２０００年に入り、今後１０年間、１０大の重要な技術の１つとして、ヒューマンインターフェースの技術が選定されたことがある。
【０００４】
ヒューマンインターフェースの技術は、独自に提供されるものでなく、様々な製品等に含まれて提供される技術である。最近、商品の成功戦略は、技術だけでなく、クライアントの志向に基づいたものとも言われるほどである。ＨＣＩ分野は、使用者インターフェースの分野なので、使用者が所望する形態のインターフェースを、容易かつ迅速に提供してくれるものでなければならない。ヒューマンインターフェースは、技術より顧客の性向を一層反映すべきである。そして、工学者だけでなく、マーケティング、心理学者、デザイナー及び消費者の意見にいつも耳を傾けなければならない分野でもある。
【０００５】
現在、携帯端末機における入力装置の技術開発は、いくつかの特徴をもって発展しつつある。先ず、最も大きい市場を形成している補給形の携帯電話機の場合は、３×４のキーパッドを基礎に採択しながら、製造社ごとに固有のブランドの入力方式を搭載し、識別性を維持しながらもハードウエアにおける新素材開発と電気的な接触方式の開発で携帯電話機のスリム化に対応している。そこで、特異なことは、スリム化を目指す中で携帯電話機の製造社がキーパッドにおける接触方式としてＴＡＣＴスイッチを選好しているのは、やはり消費者がキーを押下するとき、認知感のあるキーパッドに慣れており、楽に入力をすることができる方を選んでいるため、携帯電話機の選択条件において入力速度の迅速性より優位を占めているのは確かである。
【０００６】
また、携帯電話機の製造社それぞれが採択している入力方式に基づいて、短文メッセジーの送信、インターネット検索及びメールの送信をするとき、消費者は、使い勝手の悪さを感じているにも拘わらず、今の方式に慣れており、また、入力打数及び速度における差をあまり感じていないので、利便性と識別性の点で消費者に特にアピールできるものではなかった。なかには、文字入力の大会を設け、自社の入力方式がもっと優れていることを強調すると共に、この点を、営業のポイントに利用せず、ブランド力の強化に利用しているくらいである。
【０００７】
また、現在、その市場を益々拡大している全てのスマートフォーンの場合、その入力装置として、クアーティ式配列のキーボードを搭載している。
【０００８】
前記したクアーティ（ＱＷＥＲＴＹ）が、今現在まで開発されている入力方式の中で最も速い入力装置なので、スマートフォーンを機能的にコンピュータ化（Ｃｏｍｐｕｔｅｒ-Ｌｉｋｅ化）して開発しようとする意図（無線インターネット、ＷＩＢＲＯ機能）があり、また、世界的に標準化が行われ、消費者に慣れ親しまれた方式なので、製造社は、この入力装置の採択を特に好んでいたわけである。
【０００９】
しかし、クアーティキーボードに起因し、スマートフォーンのサイズが大きくなる恐れがあるが、相対的にキーのサイズは小さいため、文字入力の際、素早い入力を行えないという問題がある。そこで、ＰＭＰ、ナビゲーション、ＤＭＢなどのような複合化の趨勢に伴ってディスプレイ装置をより大きくするためにキーボードをタッチスクリーン内にソフトウェア的に搭載し、入力するという方式を採択している。
【発明の概要】
【発明が解決しようとする課題】
【００１０】
タッチスクリーンの技術は、ＰＤＡ端末機を中心に発展しており、指の抵抗値を感知して入力する方式と、各接触面間のキャパシタンスの値を感知して入力する方式とがそれぞれ開発されている。最近、開発されたタッチスクリーンの文字、数字入力装置及び方法は、既存の問題点をある程度補完したことは認められるが、指や道具の複雑な操作や正確性が必要とされるので、使用者に過度の疲労感を与える虞が生じ、ボタンのサイズが指で押すには小さ過ぎるという問題がある。
【００１１】
したがって、従来の問題点が大幅に改良されたとは言えず、端末機の製造社は生産の決定を容易に下すことができない。それにも拘わらず、このタッチスクリーンの入力装置が、高級型の携帯電話機と一部のスマートフォーンに適用され、益々拡散している。
【００１２】
使用者の希望する複合マルチメディア機器としての機能を奏するため、ディスプレイと入力方式における限界を克服することが最も重要なので、有用なタッチスクリーン文字入力の方法及び装置の役割が何より大きいといえる。
【００１３】
したがって、本発明の目的は、タッチ部のタッチスクリーンのキーボード上に各種ブロックが配置されているブロック本体を少なくとも４つ以上の方向へ移動することが可能となるように構成することによって、通信端末機を用いた各言語別文字、数字の入力を容易に行うことができるようにした通信端末機の文字、数字の入力装置及び入力方法を提供することである。
【００１４】
また、他の目的は、タッチ部内の各ブロック及び４つ以上の方向に移動可能なブロック本体の周りの複数の固定ブロックに各言語別文字の子音と母音を配列し、使用者が１回の操作で最大２つ以上の音素を入力することができるようにすることによって、文字、数字の入力速度を画期的に増大させる通信用端末機の文字、数字の入力装置及び入力方法を提供することである。
【課題を解決するための手段】
【００１５】
本発明に係る通信端末機の文字、数字入力装置は、外部との通信又はデータ保存のために指や道具を使って座標を指定し、また文字を選択することができるタッチ部上のタッチスクリーンキーボードを備えた通信端末機において、前記タッチスクリーンのキーボード内のブロック本体上における複数のブロック及び前記ブロック本体が移動可能な少なくとも４つ以上の方向の固定ブロックの複数個の閉区間にハングル、ローマ字、日本語の各言語別子音、母音、数字、機能キーが割り当てられており、文字及び数字の入力を希望する使用者のブロック操作又は使用者の中央を中心にして少なくとも４つ以上の方向への移動操作による固定ブロック操作信号を発生させるブロック本体と、前記通信端末機で使われる各言語別文字データを保存する文字保存部と、前記通信端末機内の動作プログラムを保存するプログラムメモリと、前記ブロックの本体上に配置されている各種ブロック及びブロック本体の外郭に配置されている固定ブロックに対応するコードデータを保存するコード保存部と、前記ブロックの本体上に設けられた各ブロックのタッチ操作状態を検出するブロック操作認識部と、少なくとも４つ以上の方向へのブロック本体の移動操作による固定ブロック操作状態を検出する固定ブロック操作認識部と、前記ブロック操作認識部及び／又は固定ブロック操作認識部を介してタッチ操作状態の検出信号が入力されると、前記プログラムメモリに保存された動作プログラムにより前記文字保存部に保存されている文字データを参照し、使用者が何れかの言語の音素を入力するかを判断し、コード保存部に保存されているコードデータを参照し、使用者の入力する該当言語の音素を表示するための表示制御信号を生成して出力するマイクロプロセッサーと、前記マイクロプロセッサーから出力される表示制御信号に応じてブロック本体上のブロック又はフロック本体の移動操作による固定ブロック操作を通じて使用者の選択した文字及び数字を表示するための駆動制御信号を出力する表示駆動部と、前記表示駆動部から出力される駆動制御信号に応じて文字及び数字を画面上に表示する表示部とを含む。
【００１６】
本発明に係る通信端末機の文字、数字入力方法は、（１）通信端末機のマイクロプロセッサーが、使用者が言語別文字モードを選択するか否かを判断するステップと、（２）前記マイクロプロセッサーが、言語別文字モードを選択した使用者がハングル入力モード、ローマ字入力モード及び日本語入力モードの何れか１つの入力モードを選択するかを判断するステップと、（３）使用者がハングルの入力モードを選択すると、前記マイクロプロセッサーが、ブロック操作認識部及び／又は固定ブロック操作認識部から入力されるブロック本体に設けられた複数のブロック操作又は上、下、左、右、対角線などの方向へのブロック本体移動操作による固定ブロックの操作信号を検出し、該当ハングルの子音、母音及び数字、記号を組み合わせ、通信端末機の画面上に表示するステップと、（４）使用者がローマ字入力モードを選択すると、通信端末機のマイクロプロセッサーが、ブロック操作認識部及び／又は固定ブロック操作認識部から入力されるブロック本体に設けられた複数のブロック操作又は上、下、左、右、対角線などの方向へのブロック本体の移動操作による固定ブロック操作の信号を検出し、該当ローマ字の子音、母音及び数字、記号を組み合わせ、通信端末機の画面上に表示するステップと、（５）使用者が日本語の入力モードを選択すると、前記マイクロプロセッサーが、ブロック操作認識部又は固定ブロック操作認識部から入力されるブロック本体に設けられた複数のブロック操作又は上、下、左、右、対角線などの方向へのブロック本体の移動操作による固定ブロック操作の信号を検出し、該当日本語の平仮名、カタカナ、漢字及び数字、記号を組み合わせ、通信端末機の画面上に表示するステップと、（６）ハングル入力モード、ローマ字入力モード及び日本語入力モードの何れか１つの入力モードを通じた文字入力作業が終わると、前記マイクロプロセッサーが、使用者により文字保存が選択されるかを判断し、使用者の入力した文字を保存するステップと、（７）前記マイクロプロセッサーが、使用者が文字モードを終了するか否かを判断し、文字モードを続けたり、解除したりするステップとを含む。
【発明の効果】
【００１７】
本発明の通信端末機の文字、数字入力装置及び入力方法によれば、外部との通信又はデータ保存のため、指や道具を使って座標を指定したり文字を選択したりすることができるタッチスクリーンのキーボードに各種ブロックが配置されているブロック本体を中心にして少なくとも４つ以上の方向への移動が可能となるように構成することによって、各言語別文字及び数字、記号の入力を容易にすることができると共に、使用者が既存のタッチスクリーン用通信端末機を通じた文字、数字の入力回数より少ない回数でハングル、ローマ字及び日本語などの各種文字、数字を迅速且つ簡単に入力でき、既に開発されているタッチスクリーン方式のキーボードより高効率に入力できる。そのことから、タッチスクリーンのキー入力装置を採用した通信端末機の拡散に寄与できる。さらに、文字、数字の入力をより速やかに且つ簡単に行うことが可能なので、各種文字作業、電子メール、チャット、インターネット情報の検索などを具現できる効果がある。
【図面の簡単な説明】
【００１８】
【図１】本発明に係る通信端末機の構造を概略的に示す図面である。
【図２】本発明に係る通信端末機のタッチスクリーンのキーボードの駆動状態を説明する図面である。
【図３】本発明に係る通信端末機の文字、数字入力装置の内部構成の一実施例を概略的に示すブロック図である。
【図４】本発明に係る通信端末機の文字、数字入力装置のハングルキーボードの一実施例を示す図面である。
【図５】本発明に係る通信端末機の文字、数字入力装置のローマ字キーボードの一実施例を示す図面である。
【図６】本発明に係る通信端末機の文字、数字入力装置の日本語キーボードの一実施例を示す図面である。
【図７】本発明に係る通信端末機の文字、数字入力装置の日本語キーボードでブロックと固定ブロックの操作に従ってつくられた日本語の仮名文字を示す図表である。
【図８】既存の通信端末機のタッチスクリーンキーボードの構造を概略的に示す図面である。
【図９】本発明に係る通信端末機の文字、数字の入力方法の動作ステップを示すフローチャートである。
【図１０】図９のハングル入力モードをより詳細に示したフローチャートである。
【図１１】図９のローマ字入力モードをより詳細に示したフローチャートである。
【図１２】図９の日本語入力モードをより詳細に示したフローチャートである。
【図１３】(ａ）から（ｄ）は、本発明による通信端末機の文字、数字入力装置の日本語キーボードの使用状態を示した使用状態図である。
【発明を実施するための形態】
【００１９】
以下、添付図面を参照し、本発明の通信端末機の文字、数字入力装置及び入力方法を詳細に説明する。
【００２０】
実施例を説明するにあたって、本発明の属する技術分野において既に知られており、本発明と直接関連のない技術内容についてはその説明を省略する。これは、不必要な説明を省略することによって、本発明の要旨を逸脱することなく、さらに明確に説明するためである。
【００２１】
図１は、本発明に係る通信端末機の構造を概略的に示す図面である。図２は、本発明に係る通信端末機のタッチスクリーンのキーボード１００の駆動状態を説明する図面である。図３は、本発明に係る通信端末機の文字、数字入力装置の内部構成の一実施例を概略的に示すブロック図である。
【００２２】
図示の如く、ブロック本体１０には、ハングル、ローマ字、日本語の各国言語、数字、特殊文字などを入力できる複数個のブロック３が配置されている。固定ブロック５はに、ハングル、ローマ字、日本語の各国の言語、記号などを入力できる複数個の閉区間が配置されており、使用者の操作により全てのブロック本体１０が固定ブロック５の中で上、下、左、右、対角線（左上、右上、左下、右下）方向など、少なくとも４つ以上の方向へ移動することができる（図２参照）。そこで、本発明によるブロック本体１０と固定ブロック５とは、物理的に具現される入力装置のことを意味するのでなく、論理的に具現され、タッチスクリーン上に示され、使用者がスクリーン上に示されている入力装置を押下することによって操作できる一種の仮想キーパッドを意味する。ブロック本体１０は、図１の如く、使用者の指Ｈのタッチ操作に応じて移動する。使用者は、指Ｈをブロック本体１０へのタッチを維持した状態で固定ブロック５の中を上、下、左、右、対角線方向などに移動するこができ（図２参照）、ブロック本体１０から指Ｈが離されると、ブロック本体がタッチスクリーンのキーボード１００の中央の元の位置に戻る。その他に、ブロック本体１０及び固定ブロック５のサイズと形態が互いに異なる構成とすることができる。このようなブロック本体１０の選択、移動及び位置判断は、タッチスクリーン上に表れる図形客体の選択、移動（ドラッグ）、位置判断に係る当業界における公知の技術を採択しているが、詳しい説明は省略する。
【００２３】
このとき、ブロック本体１０上の各ブロック３と固定ブロック５には、ハングル、ローマ字、日本語の各言語別子音、母音、数字、機能キーが割り当てられており（図４、図５、図６参照）、文字、数字の入力を希望する使用者のブロック操作又は使用者の中央を中心にして通信端末機本体Ｐ内で少なくとも４つ以上の方向への移動操作による固定ブロック５の操作信号が発生する。
【００２４】
そして、ブロック本体１０上の各ブロック３及び４つ以上の移動方向の固定ブロック５にハングル、ローマ字、日本語の各言語別に子音と母音を割り当てるとき、ハングルキーボード２００の場合、ブロック本体１及び２０１上の各ブロック３には子音を入力できるようにし、固定ブロック５及び２０２上の各閉区間には母音を入力できるように割り当て（図４）、ローマ字のブロック本体３００の場合、ブロック本体１及び３０１上の各ブロック３には子音を入力できるようにし、固定ブロック５及び３０２上の各閉区間には母音を入力できるように割り当て（図５）、日本語のブロック本体４００の場合、ブロック本体１及び４０１上の各ブロック５及び４０２には各行の「あ段」及び文字変換信号を入力できるようにし、固定ブロック５及び４０２上の各閉区間には各行の「お段」、「う段」、「え段」、「い段」及びその他の文字変換の信号を入力できるように割り当てる（図６）。
【００２５】
これにより、より少ないキーボタン数であってもパソコンの機能を奏することが可能であり、既存のタッチスクリーン用の通信端末機のキーボードＱと比べてさらに大きくなったキーボードのサイズに起因し、今まで使い勝手の悪さを生じさせた道具（図８）を用いた文字入力の環境から離れて、指で文字の入力を円滑に行うことができる。特に、ボタンのサイズが小さいため、指で入力（８Ｈ）するには正確度が低いと言われるタッチスクリーンＱにおいても容易且つ正確な文字、数字の入力が可能となった。
【００２６】
例えば、ハングルキーボード（図４）の場合、本発明によるブロック本体１０上のブロック２０１の中で特定ブロック５の１個において、割り当てられた子音ブロックを自由に移動させ、固定ブロック２０２に割り当てられた母音と結合して文字を入力できるが、一般のタッチスクリーンのキーボードＱとしてはサイズの制限により具現しにくかった（図８の８Ｈ参照）。既存の通信端末機のタッチスクリーンのキーボードの類型を見ると、パソコンキーボードを参考した方式（図８）の場合、キーボタンのサイズが小さ過ぎるため、道具を用いなければならず、ボタン１つに複数の文字キーを割り当てるという方式の場合、ボタンの数が減らされると共にボタンのサイズは指にあうほど大きくなり得るが、指でボタン内の特定文字を選択するためには割り当てられた文字数に比例してボタンのサイズがさらに大きくなる問題があった。
【００２７】
ブロック操作認識部２０は、ブロック本体１０上に設けられた各ブロック５のタッチ操作状態を検出し、マイクロプロセッサー７０に出力する。
【００２８】
固定ブロック操作認識部３０は、使用者の指Ｈのタッチ操作による少なくとも４つ以上の方向へのブロック本体１０の移動操作により発生するブロック本体１０の一側面（２０１ａ〜２０１ｄ、３０１ａ〜３０１ｄ、４０１ａ〜４０１ｄ）と、固定ブロック５の一側面（２０２ａ〜２０２ｄ、３０２ａ〜３０２ｄ、４０２ａ〜４０２ｄ）との接触状態（図４ａ、図５ａ、図６ａを参照）を検出し、マイクロプロセッサー７０に出力する。
【００２９】
この際、前記した固定ブロック操作認識部３０は、固定ブロック５内に仕切られた所定領域を有する割り当てられたセルを通じて、ブロック本体１０の外側に仕切られた所定領域を有する割り当てられたセル間の接触状態を感知することができ、ブロック本体１０の移動構造によって割り当てられたセルの位置は可変されることができる。
【００３０】
文字保存部４０は、ハングル（例えば、完成形文字）、ローマ字及び日本語における各言語別の文字、数字、記号及び特殊文字を保存しており、マイクロプロセッサー７０の制御にしたがって該当言語の文字を出力する。
【００３１】
プログラムメモリ５０は、マイクロプロセッサー７０の動作プログラムを保存する。
【００３２】
コード保存部６０は、ブロック本体１０上に配置されている各種ブロック及び固定ブロック５に対応するコードデータを保存する。
【００３３】
マイクロプロセッサー７０は、ブロック操作認識部２０及び／又は固定ブロック認識部３０を通じてタッチ操作状態の検出信号が入力されると、プログラムメモリ５０に保存されている動作プログラムにより文字保存部４０に保存されている文字データを参照し、使用者が何れかの言語の音素を入力するかを判断し、コード保存部６０に保存されたコードデータを参照し、使用者の入力する該当言語の音素を表示するための表示制御信号を生成し、表示駆動部８０に出力する。
【００３４】
表示駆動部８０は、マイクロプロセッサー７０から出力される表示制御信号によってブロック本体１０上のブロック３又はブロック本体１０の移動操作による固定ブロック５の面接触を通じて、使用者の選択した文字及び数字を表示するための駆動制御信号を表示部９０に出力する。
【００３５】
表示部９０は、通常ＬＣＤなどからなり、表示駆動部８０から出力される駆動制御信号により文字及び数字を画面上に表示し、使用者自身が入力した文字及び数字を確認できるようにする。
【００３６】
2011501312.tif 000003
【００３７】
この際、図２と図４ａで固定ブロック５に割り当てられた文字を入力するためのブロック本体１０の移動操作による固定ブロック５との面接触の状態を見ることができるが、ブロック本体２０１は、指４Ｈに接触して移動が行われる間、ブロック本体の外側（２０１ａ〜２０１ｄ）と固定ブロック内側（２０２ａ〜２０２ｄ）とが互いに面接触する位置まで移動するように設定されており、「面接触」と同時に固定ブロック２０２に割り当てられた単母音が該当ブロック３の子音と組み合わされて出力され、図４ｂに例示されている活性化された固定ブロック（２０２‐１）のように固定ブロック２０２に割り当てられた単母音が二重母音に変換して割り当てられる（図４ｂの固定ブロック参照）。
【００３８】
この際、使用者が二重母音を組み合わせるためには、指４Ｈが離されずに接触した状態で、活性された固定ブロック（２０２‐１）へ移動（２０１‐１）してタッチ操作が行われればよく、ブロック本体２０１は、停止した位置にてそのまま止まって（図４ａ参照）指（４Ｈ‐１）だけ移動する（図４ｂ参照）。
【００３９】
2011501312.tif 000004
【００４０】
2011501312.tif 000005
【００４１】
この際、固定ブロック２０２に割り当てられた８つの母音を除いた、残りの母音の場合、該当ブロック本体２０１をタッチした状態で操作が行われ、固定ブロック２０２と面接触する瞬間に固定ブロック２０２が活性化（２０２‐１）されると共に、８つの閉区間が１４個の閉区間に分割しながら割り当てられるが、その規則は、次の通りである。
【００４２】
【表１】
2011501312.tif 000006
【００４３】
2011501312.tif 000007
【００４４】
2011501312.tif 000008
【００４５】
2011501312.tif 000009
【００４６】
2011501312.tif 000010
【００４７】
2011501312.tif 000011
【００４８】
一方、ハングルキーボード２００における機能キーの配列は、効果の面を考慮したうえで割り当てることが望ましい。
【００４９】
前述したように、ハングルの入力過程をみれば、使用者が、該当ブロックをタッチした状態でブロック本体１０を移動する度に子音と共に固定ブロック５に割り当てられた母音が組み合わされ、文字が完成されるので、子音と母音を別々に入力する既存の方式より入力回数を大幅に減らすことができ、使い勝手の悪さを大きく改善できる。
【００５０】
図５は、本発明による通信端末機の文字、数字入力装置のローマ字キーボード３００の一実施例を示した図である。図５ａは、本発明のローマ字キーボード３００を用いた文字、数字入力装置において、子音と母音との組合せを具現するための操作例を示す図であって、「Ｐ」の割り当てられたブロック５を用いて「ＰＯ」の完成を示している。使用者の指５Ｈが、「Ｐ」の割り当てられたブロック３をタッチした状態で固定ブロック３０２の上方の閉区間に割り当てられた母音「Ｏ」に向かって移動をする。この際、ブロック本体３０１は、タッチ操作をしている指に従って同時に移動され、固定ブロック３０２の内側３０２ａに面接触することになり、指５Ｈが離されると、「Ｐ」と「Ｏ」とが組み合わされ、「ＰＯ」が入力され、ブロック本体１０はタッチスクリーのンキーボード１００の中央に戻る。他の子音との結合を行うためには、図２の如く、該当母音の割り当てられた固定ブロック５の閉区間が位置した方向に、ブロック本体１０を指５Ｈによるタッチ状態のまま移動操作が行われ、固定ブロック５と面接触した後、指が離される。
【００５１】
この際、図２と図５ａから、固定ブロック５に割り当てられた文字を入力するためのブロック本体１０の移動操作による固定ブロック５との「面接触」状態を見ることができるが、ブロック本体３０１は、指５Ｈを接触することにより移動される間、ブロック本体の外側（３０１ａ〜３０１ｄ）と固定ブロック内側（３０２ａ〜３０２ｄ）とが互いに「面接触」する位置までに移動をするように設定されており、「面接触」と同時に固定ブロック３０２に割り当てられた単母音が該当ブロック３の子音と組み合って出力され、図５ｂの活性化された固定ブロック（３０２‐１）のように、固定ブロック３０２に割り当てられた母音が２次母音に変換して割り当てられる（図５ｂの固定ブロック参照）。
【００５２】
この際、使用者が２次母音を組み合わせるためには、指５Ｈを離さずに接触しつつ活性化された固定ブロック（３０２‐１）に移動し（３０１‐１）、タッチ操作がされればよく、ブロック本体３０１は、停止した位置にそのまま止まって（図５ａ参照）、指（５Ｈ‐１）だけが移動することになる。
【００５３】
そこで、「Ｐ」の割り当てられたブロック５を用いて母音「Ｏ」及び２次母音の「Ｕ」を組み合わせる操作例を示す。先ず、図５ｂに示されているように、使用者の手（５Ｈ‐１）は、「ＰＯＵ」を入力するために「Ｐ」の割り当てられた固定ブロック３をタッチの状態に維持しながら、「Ｏ」の割り当てられた固定ブロック３０２にブロック本体３０１を面接触させ（図５ａ参照）、「Ｏ」を認識させた後、固定ブロック３０２が活性化され（３０２‐１）、「Ｕ」に変換すると（図５ｂ参照）、タッチ状態を維持したうえで活性化された固定ブロック（３０２‐１）の「Ｕ」が割り当てられた閉区間（３０２‐２）内に指（５Ｈ‐１）が進入（図５ｂ）した後、次いで指（５Ｈ‐１）が離されると、「ＰＯＵ」が入力されることになる（図５ｂ）。
【００５４】
図示されたように、ローマ字のキーボード３００は、各種機能キーを含んで、複数個（６行４列）のブロック３にローマ字の子音（ここでは、Ｂ、Ｃ、Ｄ、Ｆ、Ｇ、Ｈ、Ｊ、Ｋ、Ｌ、Ｍ、Ｎ、Ｐ、Ｑ、Ｒ、Ｓ、Ｔ、Ｖ、Ｘ、Ｚ、ＣＨ、ＰＨ、ＳＨ、ＴＨ）が割り当てられ、固定ブロック３０２の複数個の閉区間（ここでは、８つ（左上、上、右上、左、右、左下、下、右下）の区間に設けられた）に、「Ｉ、Ｏ、Ｕ、Ｅ、Ｗ、Ａ、ＮＧ、Ｙ」の母音がそれぞれ割り当てられる。
【００５５】
この際、固定ブロック３０２が活性化された場合に割り当てられる２次母音等は、該当ブロック本体３０１をタッチ状態で操作が行われ、固定ブロック３０２と面接触する瞬間に固定ブロック３０２が活性化（３０２-１）されながら、８個の閉区間が４０個の閉区間に分割して割り当てられるが、その規則とは、次の通りである。
【００５６】
【表２】
2011501312.tif 000012
【００５７】
即ち、固定ブロック３０２の左側に「Ｅ」が割り当てられた閉区間の場合、固定ブロック３０２が活性化（３０２-１）されると、前記閉区間が５つに分割しつつ、それぞれの閉区間に「Ａ、Ｅ、Ｉ、Ｏ、Ｕ」が変換され再び割り当てられる。
【００５８】
そして、子音の「Ｋ」を表わすためには、元の位置で該当ブロック３を１回タッチした後に指を離せばよく、「ＣＨ又はＰＨ又はＳＨ又はＴＨ」を表示するためには、元の位置で該当ブロック３を１回タッチした後に指が離され、さらに「大小文字モードの変更」の場合は、該当子音又は母音の割り当てられたブロック３が所定時間の間長くタッチされた後、次いで指が離されると大小文字の変更が行われる。
【００５９】
一方、子音が操作されない場合、母音は、ハングルのキーボードの「ＰＨ」と「ＳＨ」との間にある方向キーがタッチされながら移動の操作が行われると、子音なしに母音及び２次母音が出力される。
【００６０】
固定ブロック３０２の対角線方向の閉区間に割り当てられた母音（左上の「Ｉ」及び「Ａ、Ｅ、Ｉ、Ｏ、Ｕ」、右上の「Ｕ」及び「Ａ、Ｅ、Ｉ、Ｏ、Ｕ」、左下の「Ａ」及び「Ａ、Ｅ、Ｉ、Ｏ、Ｕ」、右下の「Ｙ」及び「Ａ、Ｅ、Ｉ、Ｏ、Ｕ」）は、ブロック本体３０１と固定ブロック３０２との面接触時、該当対角線の両方の接触面がほんの０．１秒だけでも接している状態（例えば、右上の「Ｕ」を出力する場合、３０１ａと３０２ａが接合すると同時に３０１ｂと３０２ｂに接しなければならない）の場合、対角線の母音として認識され、指が離されると出力される。
【００６１】
そして、使用者が文字を入力するとき、表示部９０に示されるカーソルの方向を調整するためには、ローマ字のキーボード３００の「ＰＨ」と「ＳＨ」との間にある方向キーが利用される。例えば、使用者が、前記方向キーをタッチした状態でブロック本体３０１を下方に移動させ、次いで該当方向キーをタッチした状態でブロック本体３０１を右方に移動させると、表示部９０に示されるカーソルが右側へ移動し、且つ、希望の位置にまでカーソルを移動させるためには、希望の位置にカーソルが到達するまで該当ブロックの操作状態をそのまま維持していればよい。
【００６２】
一方、ローマ字のキーボード３００の機能キーの配列は、効果の面を考慮のうえで配置することが望ましい。
【００６３】
前述したように、ローマ字の入力ステップは、使用者が該当タッチ部をタッチした状態でブロック本体１０を移動する度に子音と共に固定ブロック５に割り当てられた母音、２次母音に組み合わされ、文字が完成されるので、子音と母音とを別々で入力する従来の方式より入力回数が大幅に削減でき、使用上の不便を大きく改善できる。
【００６４】
図６は、本発明による通信端末機の文字、数字入力装置の日本語キーボード４００の一実施例を示す図である。図６ａは、本発明の日本語キーボード４００を用いた文字、数字入力装置において、ブロック本体４０１と固定ブロック４０２の操作を通じて仮名文字を具現するための操作例を示す図であって、「は」が割り当てられたブロック５を用いて仮名文字を完成することを示している。先ず、使用者の指６Ｈが、「は」の割り当てられたブロック３をタッチした状態で指が離されると、直ちに「は」が出力され、指が離されずに固定ブロック４０２の右方向の閉区間に割り当てられた「お」に向かって移動し、「は」行の「お」段が出力される。この際、ブロック本体４０１は、タッチ操作を行っている指に従って同時に移動され、固定ブロック４０２の内側４０２ｂに面接触することになり、指６Ｈが離されると、「は」行の「お」段に当たる「ひ」が入力され、ブロック本体１０は、タッチスクリーンのキーボード１００の中央に戻る。他の段の入力のためには、図２の如く、該当「行」の該当「段」が割り当てられた固定ブロック５の閉区間が位置した方向にブロック本体１０が、指６Ｈによるタッチ状態のまま、移動操作され、固定ブロック５と面接触した後に指が離される。
【００６５】
この際、図２と図６ａから、固定ブロック５に割り当てられた文字を入力するためのブロック本体１０の移動操作による固定ブロック５との「面接触」状態を見ることができ、ブロック本体４０１は、指６Ｈに接触されたまま移動される間、ブロック本体の外側（４０１ａ〜４０１ｄ）と固定ブロック内側（４０２ａ〜４０２ｄ）とが互いに「面接触」する位置にまで移動するように設定されており、「面接触」と同時に固定ブロック４０２に割り当てられた「段」が該当ブロック３の「行」に合う「段」に変換して出力され、図６ｂに例示された、活性された固定ブロック（４０２‐１）のように、固定ブロック４０２に割り当てられた段が「゛、゜、小」に変換して割り当てられる（図６ｂの固定ブロックを参照）。
【００６６】
この際、使用者は、変換記号、「゛（濁音に変換）、°（半濁音に変換）、小（小文字に変換）」を組み合わせるべく、指６Ｈを離さずに接触した状態で活性化された固定ブロック（４０２-１）へ移動（４０１‐１）してタッチ操作を行えばよく、ブロック本体４０１は、停止された位置にそのまま止まって（図６参照）、指（６Ｈ‐１）だけが移動されればよい（図６ｂ参照）。
【００６７】
そこでは、「は」の割り当てられたブロック５を用いて固定ブロック４０２の「お」段の入力及び活性化されたブロック（４０２‐１）の「゛」を組み合わせる例を示している。先ず、図６ｂに示されたように、使用者の指（６Ｈ‐１）は、「ば」を入力するため、「は」の割り当てられたブロック３をタッチしたまま該当文字の「お」段の入力機能が割り当てられた固定ブロック４０２にブロック本体４０１を面接触させ（図６ａ参照）、「ひ」を認識させた後、固定ブロック４０２が活性化され（４０２‐１）、「゛」に変わると（図６ｂ参照）、タッチを維持した状態で活性化された固定ブロック（４０２‐１）の「゛」が割り当てられた閉区間（４０２‐２）内に指（６Ｈ‐１）が進入（図６ｂ）した後、指（６Ｈ‐１）が離されると、濁音の「ば」が入力されることになる（図６ｂ）。
【００６８】
図示の如く、日本語のキーボード４００は各種機能キーを含んで、複数個（５行３列）のブロック３に「あ」段の１０文字を１０個のブロックに割り当てる。
【００６９】
そして、固定ブロック４０２の複数個の閉区間を１０個に分け、そのうちの４つの方向（ここでは、上、下、左、右の方向を例に挙げる）には、「お段」、「う段」、「え段」、「い段」の文字を入力できるように割り当てて、３つに分けられた対角線の閉区間（ここでは、左上と右上を例に挙げており、それぞれ３つの閉区間に分割されている、図６ａ参照）には、それぞれ、「゛（濁音に変換）、゜（半濁音に変換）、小（小文字に変換）」が割り当てられ、「あ」段の文字等の変換機能を行う。
【００７０】
この際、固定ブロック４０２が活性された場合に割り当てられる変換記号等の場合には、該当ブロック本体４０１がタッチされた状態で操作し、固定ブロック４０２と面接触する瞬間に固定ブロック４０２が活性されながら（４０２‐１）、１０個の閉区間が２４個の閉区間に分割されながらそれぞれ割り当てられるが、その規則は、次の通りである。
【００７１】
【表３】
2011501312.tif 000013
【００７２】
即ち、固定ブロック４０２の左側に、「え」の段が割り当てられた閉区間の場合、固定ブロック４０２が活性化（４０２-１）されると、前記閉区間が３つに分けられながら、それぞれの閉区間に、「゛、゜、小」が変換して再び割り当てられる。
【００７３】
もちろん、固定ブロック４０２の左上及び右上の方向に割り当てられている「゛、゜、小」は、そのまま維持される。
【００７４】
そして、「あ」段の文字を表わすためには、元の位置で該当ブロック３を１回タッチした後に指が離され、「句点（。）」を表わすためには、元の位置で該当ブロック３を１回タッチした後に指が離されるが、「漢字への変換」の場合は、各該当ブロック３及び該当固定ブロック３の閉区間を所定時間の間長くタッチした後に指が離され、画面上に示される漢字の中で該当漢字が選択されればよい。
【００７５】
固定ブロック４０２の対角線方向の閉区間に割り当てられた変換記号の「゛、゜、小」は、ブロック本体４０１と固定ブロック４０２との面接触時、該当対角線の両方の接触面がほんの０．１秒だけでも接している状態（例えば、右上の「小」の操作入力が行われる場合、４０１ａと４０２ａが接触すると同時に４０１ｂと４０２ｂとが接していなければならない）の場合、対角線の変換記号と認識することになり、指が離されると出力される。
【００７６】
そして、使用者が、文字入力の際、表示部９０に示されるカーソルの方向を調整するためには、日本語のキーボード３００の「わ」の直下にある方向キーが利用される。例えば、使用者が、前記方向キーをタッチした状態でブロック本体４０１を下方へ移動させた後、該当方向キーをタッチした状態でブロック本体４０１を右方へ移動させると、表示部９０に示されるカーソルが右側に移動し、希望の位置にカーソルが到達する時まで該当ブロックの操作状態をそのまま維持していればよい。
【００７７】
一方、日本語のキーボード４００の機能キーの配列については、効率を考慮したうえで配置することが望ましい。
【００７８】
前記したように、日本語の入力ステップは、既存の方式よりその入力回数を大幅に削減でき、且つ、操作上の不便を大きく改善できる。
【００７９】
そこで、通常、通信端末機は、２つ以上の言語を使うべく、キーパッド１つに複数種の言語を共に割り当てる場合が多いが、前記した本発明の説明は、一種の言語のみが表示されているブロック本体を用いて述べられる。
【００８０】
次いで、前記したように構成された本発明の通信端末機の文字、数字の入力方法の一実施例を添付図面９乃至１２に基づいて詳述する。
【００８１】
図９乃至１２は、本発明による通信端末機の文字、数字入力方法の動作ステップを詳細に示している図面である。
【００８２】
先ず、通信端末機Ｐのマイクロプロセッサー７０は、使用者がブロック本体上に設けられた文字モードブロックをタッチし、言語別文字モードを選択するか否かを判断し、使用者が言語別文字モードを選択した場合、ハングル入力モード、ローマ字入力モード、日本語入力モードの何れかの入力モードを選択するか判断する（Ｓ１００）。
【００８３】
上述したステップＳ１００の判定結果、使用者がハングルの入力モードを選択すると、マイクロプロセッサー７０は、ブロック操作認識部２０及び/又は固定ブロック認識部３０から入力される、ブロック本体１０に設けられた複数のブロック３の操作又は上、下、左、右、対角線などの方向へのブロック本体１０の移動操作による固定ブロック５の面接触の操作の信号を検出し、該当ハングルの子音、母音及び数字、記号を組み合わせた後、表示部９０を通じて画面上に表示する（Ｓ２００）。
【００８４】
即ち、図１０を参照して説明すれば、使用者のハングル入力モードの選択により、通信端末機Ｐのマイクロプロセッサー７０は、ハングル入力モードに切り換えられ、ハングル入力の待機状態を維持しており、それから、使用者がメニューブロックをタッチした後、ブロック本体１０を上、下、左、右に移動させ、文字消し、空白文字の出力、数字及び記号の入力、改行のメニューを選択するかを判断する（Ｓ２１０）。
【００８５】
判断の結果、使用者がメニューを操作した場合、マイクロプロセッサー７０は、使用者の選択した文字消し、空白文字の出力、数字及び記号の入力、改行のメニューを行い、前述したステップ２１０の以後を繰り返して行う（Ｓ２１１）。
【００８６】
しかし、前記したステップＳ２１０の判断の結果、使用者が文字消し、空白文字の出力、数字及び記号の入力、改行などのメニューを選択していない場合、マイクロプロセッサー７０は、使用者によりブロック本体１０の上に設けられた複数のブロック３が操作された状態か否かを判断し、使用者の操作によりブロック本体１０の上に設けられた特定ブロックが操作されている状態であれば、使用者によるブロック本体１０の移動操作に従って各移動方向の固定ブロック５に割り当てられた特定母音が選択されるか否かを判断する（Ｓ２１２）。
【００８７】
判断の結果、ブロック本体１０の上に設けられた複数のブロック３及び／又は上、下、左、右、対角線方向へのブロック本体１０の移動を通じて固定ブロック５の面接触操作を行って子音、母音を入力すると、マイクロプロセッサー７０は、ブロック操作認識部２０及び／又は固定ブロック操作認識部３０から入力される操作信号を基に使用者の入力した子音及び単母音の入力を確認する（Ｓ２１３）。
【００８８】
判断の結果、使用者によるブロック本体１０の移動操作に従って各移動方向の固定ブロック５に割り当てられた特定母音が選ばれる場合、マイクロプロセッサー７０は、子音の割り当てられた特定ブロックが使用者により再び選択されるか否かを判断する（Ｓ２１４）。
【００８９】
判断の結果、子音の割り当てられた特定ブロックが再び選択された場合、マイクロプロセッサー７０は、該当子音と複母音を結合し（Ｓ２１５）、使用者の操作による文字が完成形ハングルになれるか否かを判断し、完成形のハングルが可能であれば、ステップＳ２１７を行う（Ｓ２１６）。
【００９０】
そして、前記したステップＳ２１６の判断の結果、使用者の操作による文字が完成形ハングルではない場合、マイクロプロセッサー７０は、使用者の入力した文字が子音だけであれば該当子音だけを出力し、ステップＳ２１７を行う（Ｓ２１８）。
【００９１】
この際、前記したステップＳ２１６の判断の結果、特定ブロック３が選択されていない場合、マイクロプロセッサー７０は、使用者のブロック本体１０の移動操作により活性された固定ブロック５が選択された状態か否かを判断し（Ｓ２１９）、活性された固定ブロック５が選択された場合は、ブロック本体１０が移動する該当方向に活性された固定ブロック５に割り当てられた母音を認識した後、前述したステップＳ２１４の以後を繰り返して行うが、活性された固定ブロック５が選択されなかった場合は、該当子音と母音が組み合わされ（Ｓ２２０）、前述したステップＳ２１６の以後を繰り返して行う。
【００９２】
そして、前記したステップＳ２１３の判断の結果、使用者のブロック本体１０の移動操作により各移動方向に割り当てられた固定ブロック５の特定母音が選択されない場合、マイクロプロセッサー７０は、使用者の操作により該当ブロック３が長く操作されるか否かを判断し（Ｓ２２１）、使用者の操作により該当ブロックが長く操作されると、該当子音を軽音に認識し、前述したステップＳ２１２の以後を繰り返して行う（Ｓ２２２）。
【００９３】
そして、ステップＳ２２１の判断の結果、該当ブロックが長く操作されない場合、マイクロプロセッサー７０は、該当子音を出力し、画面上に表示し（Ｓ２１７）、前述したステップＳ２１２の以後を繰り返して行う。
【００９４】
一方、前述したステップＳ１００の判断の結果、該当使用者がローマ字の入力モードを選択すると、マイクロプロセッサー７０は、ブロック操作認識部２０及び／または固定ブロック操作認識部３０から入力されるブロック本体１０に設けられた複数のブロック３の操作又は上、下、左、右、対角線方向へのブロック本体１０の移動操作による固定ブロック５の面接触操作信号を検出し、該当ローマ字の子音、母音及び数字、記号を組み合わせた後、表示部９０を通じて画面上に表わす（Ｓ３００）。
【００９５】
図１１を参照して詳述すれば、使用者によるローマ字入力モードの選択により通信端末機Ｐのマイクロプロセッサー７０は、ローマ字の入力モードに切り換わり、ローマ字入力の待機状態を維持し、それから、使用者がメニュー操作をタッチした後、ブロック本体１０を上、下、左、右の方向へ移動させ、文字消し、空白文字の出力、数字及び記号の入力、改行の何れかを選択するかを判断する（Ｓ３１０）。
【００９６】
判断の結果、使用者がメニューを操作した場合、マイクロプロセッサー７０は、使用者の選択した文字消し、空白文字の出力、数字及び記号の入力、改行等のメニューを行い、前述したステップＳ３１０の以後を繰り返して行う（Ｓ３１１）。
【００９７】
しかし、前述したステップＳ３１０の判断の結果、使用者が文字消し、空白文字の出力、数字及び記号の入力、改行等のメニューを選択しなかった場合、マイクロプロセッサー７０は、ブロック本体１０の上に設けられた複数のブロック３が操作されているか否かを判断し、使用者の操作によってブロック本体１０の上に設けられた特定ブロックが操作された場合、使用者のブロック本体１０の移動操作により各移動方向の固定ブロック５に割り当てられた特定母音が選択されるか否かを判断する（Ｓ３１２）。
【００９８】
判断の結果、ブロック本体１０の上に設けられた複数のブロック３及び／又は上、下、左、右、対角線方向へのブロック本体１０の移動を通じた固定ブロック５の面接触の操作をして子音、母音を入力すると、マイクロプロセッサー７０は、ブロック操作認識部２０及び／又は固定ブロック操作認識部３０から入力される操作信号に基づいて、使用者の入力した子音及び単母音の入力を確認する（Ｓ３１３）。
【００９９】
判断の結果、使用者のブロック本体１０の移動操作により、各移動方向の固定ブロック５に割り当てられた特定母音が選択された場合、マイクロプロセッサー７０では、該当ブロック５が使用者により長く操作されるか否かを判断する（Ｓ３１４）。
【０１００】
判断の結果、該当ブロックが長く操作された場合、マイクロプロセッサー７０は、該当ブロックの大小文字モードを切換えて認識した後（Ｓ３１９）、使用者のブロック本体１０の移動操作により活性された固定ブロック５が選択されたか否かを判断してステップＳ３１５の以後を行い、該当ブロックが長く操作されない場合、活性された固定ブロック５が選択されたか否かを判断し（Ｓ３１５）、ブロック本体１０が移動する該当方向に活性された固定ブロック５に割り当てられた母音を認識した後、活性された固定ブロック５が選択された場合、該当子音並びに１及び２次母音を組み合わせ（Ｓ３１８）、活性された固定ブロック５が選択されない場合、該当子音と母音を組み合わせ（Ｓ３１６）、画面上に表示し（Ｓ３１７）、前述したステップＳ３１５を行う。
【０１０１】
そして、前記したステップＳ３１３の判断の結果、使用者のブロック本体１０の移動操作により各移動方向に割り当てられた固定ブロック５の特定母音が選択されない場合、マイクロプロセッサー７０は、使用者の操作に応じて該当ブロック３が長く操作されるか否かを判断し（Ｓ３２０）、使用者の操作に応じて該当ブロックが長く操作されたら、マイクロプロセッサー７０は、該当ブロックの大小文字のモードを変換し（Ｓ３２１）、その後、前述したステップＳ３１３の以後を繰り返して行う（Ｓ３２１）が、該当ブロック３が長く操作されない場合は、該当ローマ字を出力し、画面上に表示し（Ｓ３１７）、前述したステップＳ３１２以後を繰り返して行う（Ｓ３２２）。
【０１０２】
一方、前述したステップＳ１００の判断の結果、使用者が日本語の入力モードを選択すると、マイクロプロセッサー７０は、ブロック操作認識部２０及び／又は固定ブロック操作認識部３０から入力されるブロック本体１０に設けられた複数のブロック３の操作又は上、下、左、右、対角線方向などへのブロック本体１０の移動を通じて固定ブロック５の面接触の操作の信号を検出し、該当ローマ字の子音、母音及び数字、記号を組み合わせた後、表示部９０を通じて画面上に表示する（Ｓ４００）。
【０１０３】
図１２を参照して詳述すれば、使用者の日本語入力モードの選択により通信端末機Ｐのマイクロプロセッサー７０は、日本語の入力モードに切り換わり、日本語入力の待機状態を維持し、それから、で使用者がメニュー操作をタッチした後、ブロック本体１０を上、下、左、右の方向へ移動させ、文字消し、空白文字の出力、数字及び記号の入力、改行の何れかのメニューを選択するかを判断する（Ｓ４１０）。
【０１０４】
判断の結果、使用者がメニューを操作すると、マイクロプロセッサー７０は、使用者の選択した文字消し、空白文字の出力、数字及び記号の入力、改行の何れかを行い、前述したステップＳ４１０の以後を繰り返して行う（Ｓ４１１）。
【０１０５】
しかし、前述したステップＳ４１０の判断の結果、使用者が、文字消し、空白文字出力、数字及び記号の入力、改行の何れかを選択しなかった場合、マイクロプロセッサー７０は、使用者がブロック本体１０の上に設けられた複数のブロック３を操作したか否かを判断し、使用者の操作に応じてブロック本体１０の上に設けられた特定ブロックが操作された場合、使用者のブロック本体１０の移動操作により各移動方向の固定ブロック５に割り当てられた各行の「い」段、「う」段、「え」段、「お」段及び変換機能の記号が選択されるか否かを判断する（Ｓ４１２）。
【０１０６】
判断の結果、ブロック本体１０上に設けられた複数のブロック３及び／又は上、下、左、右、対角線方向へのブロック本体１０の移動を通じて固定ブロック５の面接触の操作を行って日本語を入力する場合、マイクロプロセッサー７０は、ブロック操作認識部２０及び／又は固定ブロック操作認識部３０から入力される操作信号を基に、使用者の入力した該当「段」の入力及び「あ」段への記号組み合せの入力を確認する（Ｓ４１３）。
【０１０７】
判断の結果、使用者のブロック本体１０の移動操作によって各移動方向の固定ブロック５に割り当てられた該当「段」の入力及び「あ」段への記号組合せの入力が選択された場合、マイクロプロセッサー７０は、該当ブロック５が使用者により長く操作されるか否かを判断する（Ｓ４１４）。
【０１０８】
判断の結果、該当ブロックが長く操作された場合、マイクロプロセッサー７０は、該当ブロックの平仮名、カタカナを漢字に変換して認識した後、使用者のタッチ操作による漢字の選択後（Ｓ４１９）、使用者のブロック本体１０の移動操作により活性された固定ブロック５が選択されたか否かを判断してステップＳ４１５の以後を行うが、該当ブロックが長く操作されない場合、活性された固定ブロック５が選択されたか否かを判断し（Ｓ４１５）、ブロック本体１０が移動する該当方向に活性された固定ブロック５に割り当てられた変換機能の記号を認識した後、活性された固定ブロック５が選択された場合は、該当「行」の特定「段」の変換機能を行い（Ｓ４１８）、活性された固定ブロック５が選択されない場合は、該当「段」の出力及び「あ」段の変換機能を行ってから出力し（Ｓ４１６）、画面上に表示し（Ｓ４１７）、前述したステップＳ４１５を行う。
【０１０９】
そして、前述したステップＳ４１３の判断の結果、使用者のブロック本体１０の移動操作により各移動方向に割り当てられた固定ブロック５の該当「段」の入力及び「あ」段への記号組合せの入力が選択されない場合、マイクロプロセッサー７０は、使用者の操作によって該当ブロック３が長く操作されるか否かを判断し（Ｓ４２０）、使用者の操作により該当ブロックが長く操作されたら、マイクロプロセッサー７０は、該当ブロックの平仮名、カタカナを漢字に変換して認識した後、使用者のタッチ操作による漢字選択後（Ｓ４２１）、前述したステップＳ４１３）の以後を繰り返して行い（Ｓ４２１）、該当ブロック３が長く操作されない場合、該当日本語を出力して画面上に表示し（Ｓ４１７）、前述したステップＳ４１２の以後を繰り返して行う（Ｓ４２２）。
【０１１０】
次いで、前述したステップＳ２００ないしＳ４００を通じて、使用者がハングル入力モード、ローマ字入力モード及び日本語入力モードの何れか１つで文字の入力作業を終了したら、通信端末機Ｐのマイクロプロセッサー７０は、該当使用者が、文字を保存するための操作信号を選択するか否かを判断する（Ｓ５００）。
【０１１１】
判断の結果、該当使用者が文字保存のための保存ブロックを選択すると、マイクロプロセッサー７０は、使用者の入力した文字を保存するが（Ｓ６００）、該当使用者が、文字保存のための保存ブロックを選択しなかった場合、使用者が、文字モードを終了するか否かを判断し、文字モードを続けるか、あるいは解除する（Ｓ７００）。
【０１１２】
図１３ａないし図１３ｄは、本発明による通信端末機の文字、数字入力装置の日本語キーボードの使用状態を示した使用状態図である。図１３を参照して本発明による実際の使用過程を下記で説明する。
【０１１３】
図１３において、スクリーン上に示されている周縁に沿って外郭に位置し、その内部が空いている四角形の部分を固定ブロック５といい、この固定ブロック５は、一定な厚みを有しており、内部は、ブロック本体１０が位置し、使用者の操作に応じて移動できるための空間があるように表示される。また、固定ブロック５それ自体は、一定範囲を持つ閉区間に区切られ、それぞれの閉区間に特定のハングル、ローマ字並びに日本語の子音又は母音などが割り当てられる。図１３に示された実施例では、固定ブロック５が６つの閉区間に区切られ、それぞれ必要となる日本語の文字が割り当てられていることがわかる。固定ブロック５の区画は、使用者又は実施者の必要に応じて適当な数に区切られ、文字が割り当てられることができる。本願発明で使われている「閉区間」という用語は、固定ブロック５及びブロック本体１０の中で所定大きさに区切られて文字が割り当てられた区間のことを意味する。
【０１１４】
図１３において、ブロック本体１０は、固定ブロック５内にある四角形状の入力部であって、指によりタッチされ、タッチされた状態で使用者がスライディング移動させる方向に従って移動し、固定ブロック５に接触し、文字が出力されることになる。ブロック本体１０は、所定大きさを持ったブロックに区切られ、区切られたそれぞれのブロックに特定の文字が割り当てられ、使用者の操作による文字入力を受けることになる。また、使用者が、ブロック本体１０上の特定のブロックを押圧し、文字を選択する場合、使用者の操作によりブロック本体１０がドラッグされ、固定ブロック５が移動されるように構成されており、こうしたブロック本体１０の選択、移動及び位置判断は、タッチスクリーン上に表われる図形客体の選択及びドラッグに係る公知技術を採択しているため、さらに詳しい説明は省略する。
【０１１５】
図１３ａは、スライディング操作直前の映像であって、使用者が、タッチスクリーン上のタッチ部に示されたブロック本体のうち、特定の文字部分を選択した状態を示している。このような方式でブロック本体の特定部分が、使用者の操作により押圧して選択される場合、ブロック本体のドラッグ（スライディング）が可能になる。図１３ｂは、ブロック本体が、使用者の操作にしたがって北の方向（上段）へスライディング移動される様態を示した使用状態図であって、中央のブロック本体が、タッチしている指に従って北の方向へ移動されていることがわかる。図１３ｃは、使用者のブロック本体のスライディングによりブロック本体が北方の固定ブロックに面接触が行われ、北方の該当固定ブロックが活性された様態を示した使用状態図である。図１３ｄは、使用者のブロック本体の特定ブロック選択及びブロック本体のスライディング移動により固定ブロックの特定閉区間が選択され、使用者の望む文字が入力された画面を示した使用状態図であって、図１３ａ乃至図１３ｄに示されているステップを介して、使用者は、容易且つ簡単に希望の文字を入力することができる。
【産業上の利用可能性】
【０１１６】
前記したように、本発明の通信端末機の文字、数字入力装置及び入力方法によれば、通信端末機に設けられたタッチ部のブロック本体上の各ブロック及び固定ブロックに割り当てられる子音、母音文字の構造を、使用者が容易に熟知できるように構成すると共に、使用者が従来のタッチスクリーン方式の通信端末機を通じて行う文字、数字の入力より、高効率で、且つ、少ない入力回数でハングル、ローマ字、日本語などの様々な文字、数字を迅速かつ容易に入力することによって、既に開発されているタッチスクリーン方式の通信端末機より指による入力が簡単になったのはもちろんのこと、タッチスクリーンを採用している通信端末機の拡散に実質的に寄与するようになる。また、文字、数字の入力をさらに迅速にかつ簡単に行うことができるので、各種の文書作業、電子メール、チャット、インターネット情報検索などを具現できる効果がある。
【０１１７】
以上、本明細書及び図面において、本発明の望ましい実施例について開示したおり、たとえ特定用語を使っているとしても、それは、ただ本発明の技術を容易に説明すると共に、発明の理解を容易にするためであって、本発明の範囲を限定するためのものではない。そこで、開示された実施例の他にも本発明の技術的思想に基づいた変形例等が実施可能であることは、本発明の技術分野における通常の知識を有する者にとって自明である。
【符号の説明】
【０１１８】
Ｐ  通信端末機
１  タッチ部
３  ブロック  
５  固定ブロック
１０  ブロック本体
２０  ブロック操作認識部
３０  固定ブロック操作認識部 
４０  文字保存部
５０  プログラムメモリ
６０  コード保存部
７０  マイクロプロセッサー
８０  表示駆動部
９０  表示部
１００  タッチスクリーンキーボード
２００  ハングルキーボード
３００  ローマ字キーボード
４００  日本語キーボード
【図１】
2011501312.tif 000017
【図２】
2011501312.tif 000018
【図３】
2011501312.tif 000019
【図４】
2011501312.tif 000020
【図５】
2011501312.tif 000021
【図６】
2011501312.tif 000022
【図７】
2011501312.tif 000023
【図８】
2011501312.tif 000024
【図９】
2011501312.tif 000025
【図１０】
2011501312.tif 000026
【図１１】
2011501312.tif 000027
【図１２】
2011501312.tif 000028
【図１３】
2011501312.tif 000029
【国際調査報告】
2011501312.tif 000030
2011501312.tif 000031